(57)【要約】      （修正有）【課題】衝突による怪我の発生を無くすことができて安全性に優れ、誤操作の心配もなく、小児による任意の文字、図形等の筆記に十分に対応できる性能を備える小児用コピーボード装置を提供する。【解決手段】コピーボード本体２に、文字、図形等の筆記情報を描く筆記シート３を備え、筆記された筆記情報をコピーし出力するコピー・出力手段を内蔵し、ペントレイ４及び各種操作用の操作パネル５を連結した小児用コピーボード装置１であって、コピーボード本体２の両側部、及び、ペントレイ４の端部に取り付けた緩衝クッション部材２１、２２と、操作パネル５の操作面以外の領域に取り付けた操作パネル緩衝クッション部材２３と、操作パネル５の操作面を覆う着脱可能な操作パネルカバーとを備え、コピーボード本体２の壁体への設置位置を低位置とした。【選択図】図１
0003182203.tif 000002
【実用新案登録請求の範囲】
【請求項１】
コピーボード本体に、文字、図形等の筆記情報を描く筆記シートを備えるとともに、筆記シートに筆記された筆記情報をコピーし出力するコピー・出力手段を内蔵し、前記コピーボード本体の一部にペントレイ及び各種操作用の操作パネルを突設配置に連結した小児用コピーボード装置であって、
前記コピーボード本体の両側部、及び、前記ペントレイの端部に取り付けた緩衝クッション部材と、
前記操作パネルの操作面以外の領域に取り付けた操作パネル緩衝クッション部材と、
前記操作パネルの操作面を覆う着脱可能な操作パネルカバーと、
を備え、
前記コピーボード本体の壁体への設置位置をオフィス向けコピーボード本体の壁体への設置位置よりも低位置とする仕様としたことを特徴とする小児用コピーボード装置。
【請求項２】
四角形状のコピーボード本体に、文字、図形等の筆記情報を描く筆記面を四角形状とした筆記シートを備えるとともに、筆記シートに筆記された筆記情報をコピーし出力するコピー・出力手段を内蔵し、前記コピーボード本体の下端部にペントレイ及び各種操作用の操作パネルを前記コピーボード本体と並列配置の突設状態で連結した小児用コピーボード装置であって、
前記コピーボード本体の両側部、及び、前記ペントレイの端部に取り付けた緩衝クッション部材と、
前記操作パネルの操作面以外の領域に取り付けた操作パネル緩衝クッション部材と、
前記操作パネルの操作面を覆う着脱可能な操作パネルカバーと、
を備え、
前記コピーボード本体の壁体への設置位置をオフィス向けコピーボード本体の壁体への設置位置よりも低位置とする仕様としたことを特徴とする小児用コピーボード装置。
【請求項３】
四角形状のコピーボード本体に、文字、図形等の筆記情報を描く筆記面を四角形状とした筆記シートを備えるとともに、筆記シートに筆記された筆記情報をコピーし出力するコピー・出力手段を内蔵し、前記コピーボード本体の下端部にペントレイ及び各種操作用の操作パネルを前記コピーボード本体と並列配置の突設状態で連結し、コピーボード本体の背面側に壁体取付具を配置した小児用コピーボード装置であって、
前記コピーボード本体及び壁体取付具の両側部、並びに、前記ペントレイの端部に取り付けた緩衝クッション部材と、
前記操作パネルの操作面以外の領域に取り付けた操作パネル緩衝クッション部材と、
前記操作パネルの操作面を覆う着脱可能な操作パネルカバーと、
前記コピー・出力手段から出力される筆記情報を印刷するためのプリンタ、筆記情報を描くためのマーカー、前記筆記シートに筆記された筆記情報を消去するイレーサを収納する前記コピーボード本体と別体の収納ボックスと、
を備え、
前記コピーボード本体及び壁体取付具の壁体への設置位置をオフィス向けコピーボード本体の壁体への設置位置よりも低位置とする仕様としたことを特徴とする小児用コピーボード装置。
【請求項４】
前記操作パネルは、ＵＳＢメモリに前記コピー・出力手段から出力される筆記情報を記憶するためのＵＳＢメモリポート、ＬＡＮケーブル接続用のＬＡＮポートを備えることを特徴とする請求項１乃至３のいずれかに記載の小児用コピーボード装置。
【請求項５】
四角形状のコピーボード本体に、文字、図形等の筆記情報を描く筆記面を四角形状とした筆記シートを備えるとともに、筆記シートに筆記された筆記情報をコピーし出力するコピー・出力手段を内蔵し、前記コピーボード本体の下端部にペントレイ及び各種操作用の操作パネルを前記コピーボード本体と並列配置の突設状態で連結し、コピーボード本体の背面側に壁体取付具を配置した小児用コピーボード装置であって、
前記壁体取付具の側部に支柱を連結し、支柱と一体の脚部を床面上に設置して前記壁体取付具及びコピーボード本体を両側で垂直配置に支持する一対の支持スタンドと、
前記コピーボード本体、壁体取付具及び一対の支柱の両側部、並びに、前記ペントレイの端部に取り付けた緩衝クッション部材と、
前記操作パネルの操作面以外の領域に取り付けた操作パネル緩衝クッション部材と、
前記一対の脚部の外周に取り付けた脚部緩衝クッション部材と、
前記操作パネルの操作面を覆う着脱可能な操作パネルカバーと、
を備え、
前記一対の支持スタンドによる前記壁体取付具及びコピーボード本体の支持高さをオフィス向けコピーボード本体の一対の支持スタンドによる支持高さより低位置とする仕様としたことを特徴とする小児用コピーボード装置。
【請求項６】
四角形状のコピーボード本体に、文字、図形等の筆記情報を描く筆記面を四角形状とした筆記シートを備えるとともに、筆記シートに筆記された筆記情報をコピーし出力するコピー・出力手段を内蔵し、前記コピーボード本体の下端部にペントレイ及び各種操作用の操作パネルを前記コピーボード本体と並列配置の突設状態で連結し、コピーボード本体の背面側に壁体取付具を配置した小児用コピーボード装置であって、
前記壁体取付具の側部に支柱を連結し、支柱と一体でコピーボード本体の表裏両側に突出する配置にキャスタを付けた脚部を床面上に設置して前記壁体取付具及びコピーボード本体を両側で垂直配置に支持する一対の支持スタンドと、
前記コピーボード本体、壁体取付具及び一対の支柱の両側部、並びに、前記ペントレイの端部に取り付けた緩衝クッション部材と、
前記操作パネルの操作面以外の領域に取り付けた操作パネル緩衝クッション部材と、
前記一対の脚部の外周に取り付けた脚部緩衝クッション部材と、
前記操作パネルの操作面を覆う着脱可能な操作パネルカバーと、
前記コピー・出力手段から出力される筆記情報を印刷するためのプリンタ、筆記情報を描くためのマーカー、前記筆記シートに筆記された筆記情報を消去するイレーサを収納する前記コピーボード本体と別体の収納ボックスと、
を備え、
前記一対の支持スタンドによる前記壁体取付具及びコピーボード本体の支持高さをオフィス向けコピーボード本体の一対の支持スタンドによる支持高さより低位置とする仕様としたことを特徴とする小児用コピーボード装置。
【請求項７】
四角形状のコピーボード本体に、文字、図形等の筆記情報を描く筆記面を四角形状とした筆記シートを備えるとともに、筆記シートに筆記された筆記情報をコピーし出力するコピー・出力手段を内蔵し、前記コピーボード本体の下端部にペントレイ及び各種操作用の操作パネルを前記コピーボード本体と並列配置の突設状態で連結し、コピーボード本体の背面側に壁体取付具を配置した小児用コピーボード装置であって、
前記壁体取付具の側部に支柱を連結し、支柱と一体でこの支柱よりコピーボード本体の表側に突出する形状の脚部を床面上に設置して前記壁体取付具及びコピーボード本体を両側で垂直配置に支持する一対の支持スタンドと、
前記コピーボード本体、壁体取付具及び一対の支柱の両側部、並びに、前記ペントレイの端部に取り付けた緩衝クッション部材と、
前記操作パネルの操作面以外の領域に取り付けた操作パネル緩衝クッション部材と、
前記一対の脚部の外周に取り付けた脚部緩衝クッション部材と、
前記操作パネルの操作面を覆う着脱可能な操作パネルカバーと、
前記コピー・出力手段から出力される筆記情報を印刷するためのプリンタ、筆記情報を描くためのマーカー、前記筆記シートに筆記された筆記情報を消去するイレーサを収納する前記コピーボード本体と別体の収納ボックスと、
を備え、
前記一対の支持スタンドによる前記壁体取付具及びコピーボード本体の支持高さをオフィス向けコピーボード本体の一対の支持スタンドによる支持高さより低位置とする仕様としたことを特徴とする小児用コピーボード装置。
【請求項８】
前記操作パネルは、ＵＳＢメモリに前記コピー・出力手段から出力される筆記情報を記憶するためのＵＳＢメモリポート、ＬＡＮケーブル接続用のＬＡＮポートを備えることを特徴とする請求項５乃至７のいずれかに記載の小児用コピーボード装置。
【考案の詳細な説明】
【技術分野】
【０００１】
本考案は、小児用コピーボード装置に関し、詳しくは、衝突による怪我の発生等々を無くし、小児による任意の文字、図形等の筆記に十分に対応できる小児用コピーボード装置に関するものである。
【背景技術】
【０００２】
従来から、コピーボード本体に、文字、図形等の筆記情報を描く筆記シートを備えるとともに、筆記シートに筆記された筆記情報をコピーし出力するコピー・出力手段を内蔵し、主としてオフィスの会議等において使用されるコピーボード装置が広く実用に供されている。
【０００３】
このような従来のコピーボード装置は、主にオフィスでの使用を前提としており、例えば４歳、６歳等の小児用としては安全性の点で問題がありそのままの態様で使用することは難しい。
【０００４】
すなわち、従来のコピーボード装置の場合、コピーボード本体の両側部やコピーボード本体の脚部が露出しているため、小児用として設置した場合、小児がコピーボード本体の両側部に衝突したり、脚部に接触して躓いたりして怪我をしてしまう等、小児の安全性を考慮に入れた設計ではない。
【０００５】
また、コピーボード本体の脚部に印刷用プリンタが配置されコピーボード筆記面から前方に突出しているため、小児が印刷用プリンタの角部等へ衝突し怪我をしてしまう等、この点からも安全性を考慮に入れた設計ではない。
【０００６】
更には、オフィスでの使用を前提していることから、コピーボード本体に設けた操作パネルにはカバーが無い仕様であり、このため、小児用として使用した場合、小児の誤操作によるコピーボード本体の動作によって小児が怪我をしてしまう等の問題も包含している。
【０００７】
特許文献１には、壁面部分に取り付けた壁面マットと床面マットとを、蝶番金具を用いることで開閉可能とし、床面マットの底面側に取り付けたホワイトボードを、閉じた状態で表面に掲出する構成として、ホワイトボードに文字、図形を筆記することができるようにした遊戯設備が提案されている。
【０００８】
この遊戯設備の場合、キッズコーナー等において主に幼児向けのお絵描きボード仕様としたものであり、安全性の点での配慮はなされているものの、４歳、６歳等の小児用としては筆記面の大きさの点、筆記情報のコピーの点で十分な性能を具備していない。
【０００９】
特許文献２には、横長矩形で扁平な黒板本体１０をキャスタ付きのスタンド１１で移動自在に支持し、黒板本体１０の正面窓１３ａに筆記シートを臨ませて筆記面を形成し、更に、操作パネル、ペントレイ、プリンタ等を配置した電子黒板が提案されている（図３）。
【００１０】
しかし、この電子黒板の場合も、既述した場合と同様な理由から、小児用としての安全性を考慮した設計ではない。
【先行技術文献】
【特許文献】
【００１１】
【特許文献１】特開２０１１−２５５１５０号公報
【特許文献２】特開平１１−１５７２８４号公報
【考案の概要】
【考案が解決しようとする課題】
【００１２】
本考案が解決しようとする問題点は、衝突や躓き転倒による怪我の発生等々を無くすことができて、安全性に優れ、誤操作の心配もなく、例えば４歳、６歳等の小児による任意の文字、図形等の筆記に十分に対応できる性能を備えるような小児用コピーボード装置が存在しない点である。
【課題を解決するための手段】
【００１３】
本考案は、コピーボード本体に、文字、図形等の筆記情報を描く筆記シートを備えるとともに、筆記シートに筆記された筆記情報をコピーし出力するコピー・出力手段を内蔵し、前記コピーボード本体の一部にペントレイ及び各種操作用の操作パネルを突設配置に連結した小児用コピーボード装置であって、前記コピーボード本体の両側部、及び、前記ペントレイの端部に取り付けた緩衝クッション部材と、前記操作パネルの操作面以外の領域に取り付けた操作パネル緩衝クッション部材と、前記操作パネルの操作面を覆う着脱可能な操作パネルカバーと、を備え、前記コピーボード本体の壁体への設置位置をオフィス向けコピーボード本体の壁体への設置位置よりも低位置とする仕様としたことを最も主要な特徴とする。
【考案の効果】
【００１４】
請求項１記載の考案によれば、コピーボード本体の両側部、ペントレイの端部、操作パネルの端部等に小児が衝突した場合でも、衝突による小児への衝撃は緩衝され、怪我の発生を無くすことができて安全性に優れ、誤操作の惧れも無く、また、コピーボード本体を低位置で支持する構成として小児による任意の文字、図形等の筆記に十分に対応できる小児用コピーボード装置を実現し提供することができる。
【００１５】
請求項２記載の考案によれば、四角形状のコピーボード本体に、文字、図形等の筆記情報を描く筆記面を四角形状とした筆記シートを備え、コピーボード本体の下端部にペントレイ及び各種操作用の操作パネルを前記コピーボード本体と並列配置の突設状態で連結し、コピーボード本体及び壁体取付具の両側部全体をほぼ覆う緩衝クッション部材、ペントレイの端部を覆う緩衝クッション部材及び操作パネルの操作面以外の領域を覆うように取り付けた操作パネル緩衝クッション部材を設け、更に、操作パネルの操作面を覆う着脱可能な操作パネルカバーを設けた構成とすることにより、コピーボード本体の両側部、ペントレイの端部、操作パネルの端部等に小児が衝突した場合でも、衝突による小児への衝撃は緩衝され、怪我の発生を無くすことができて安全性に優れ、誤操作の惧れも無く、また、コピーボード本体を低位置で支持する構成として小児による任意の文字、図形等の筆記に十分に対応できる小児用コピーボード装置を実現し提供することができる。
【００１６】
請求項３記載の考案によれば、壁体直付け構成の基に、前記請求項２記載の考案と同様な効果を奏し、前記コピーボード本体と別体にプリンタ等を収納する収納ボックスを付加した構成としているので、従来例の構成に比べ、小児がプリンタに衝突することが無くなり、この点からも怪我の発生を無くすことができより安全性を高めた小児用コピーボード装置を実現し提供することができる。
【００１７】
請求項４記載の考案によれば、前記請求項１〜３のいずれかに記載の考案において、操作パネルは、ＵＳＢメモリ用のＵＳＢメモリポート、ＬＡＮケーブル接続用のＬＡＮポートを備える構成としているので、小児による筆記情報の保存やプリントアウト、複数人による筆記情報に関する情報共有をも図ることができる効果を奏する小児用コピーボード装置を実現し提供することができる。
【００１８】
請求項５記載の考案によれば、一対の支持スタンドによりコピーボード本体を低位置で支持する構成とするとともに、一対の支持スタンドにおける一対の脚部の外周に脚部緩衝クッション部材を取り付けた構成としているので、前記請求項２記載の考案と同様な小児の怪我防止効果を奏し、かつ、小児の躓き転倒による怪我の発生を無くすこともでき、また、コピーボード本体を低位置で支持する構成として小児による任意の文字、図形等の筆記に十分に対応できる小児用コピーボード装置を実現し提供することができる。
【００１９】
請求項６記載の考案によれば、自立走行移動型の構成で設置個所の自由度が高く、また、前記請求項３記載の考案と同様な小児の衝突や躓き転倒に伴う怪我防止効果を奏するとともに、コピーボード本体を低位置で支持する構成として小児による任意の文字、図形等の筆記に十分に対応できる小児用コピーボード装置を実現し提供することができる。
【００２０】
請求項７記載の考案によれば、自立壁寄せ型の構成で部屋内に設置し易く、また、前記請求項３記載の考案と同様な小児の衝突や躓き転倒に伴う怪我防止効果を奏するとともに、コピーボード本体を低位置で支持する構成として小児による任意の文字、図形等の筆記に十分に対応できる小児用コピーボード装置を実現し提供することができる。
【００２１】
請求項８記載の考案によれば、前記請求項５〜７のいずれかに記載の考案において、操作パネルは、ＵＳＢメモリ用のＵＳＢメモリポート、ＬＡＮケーブル接続用のＬＡＮポートを備える構成としているので、小児による筆記情報の保存やプリントアウト、複数人による筆記情報に関する情報共有をも図ることができる効果を奏する小児用コピーボード装置を実現し提供することができる。
【図面の簡単な説明】
【００２２】
【図１】図１は本考案の実施例１に係る小児用コピーボード装置の概略正面図である。
【図２】図２は本実施例１に係る小児用コピーボード装置の概略平面図である。
【図３】図３は本実施例１に係る小児用コピーボード装置の概略側面図である。
【図４】図４は本実施例１に係る小児用コピーボード装置における操作パネルの拡大平面図である。
【図５】図５は本実施例１に係る小児用コピーボード装置における操作パネル、ＵＳＢメモリ系統、ＬＡＮ系統を示す説明図である。
【図６】図６は本考案の実施例２に係る小児用コピーボード装置の概略正面図である。
【図７】図７は本考案の実施例２に係る小児用コピーボード装置の概略平面図である。
【図８】図８は本考案の実施例２に係る小児用コピーボード装置の概略側面図である。
【図９】図９は本考案の実施例３に係る小児用コピーボード装置の概略正面図である。
【図１０】図１０は本考案の実施例３に係る小児用コピーボード装置の概略平面図である。
【図１１】図１１は本考案の実施例３に係る小児用コピーボード装置の概略側面図である。
【考案を実施するための形態】
【００２３】
本考案は、衝突や躓き転倒による怪我の発生を無くすことができて安全性に優れ、誤操作の心配もなく、例えば４歳、６歳等の小児による任意の文字、図形等の筆記に十分に対応できる性能を備える小児用コピーボード装置を提供するという目的を、四角形状のコピーボード本体に、文字、図形等の筆記情報を描く筆記面を四角形状とした筆記シートを備えるとともに、筆記シートに筆記された筆記情報をコピーし出力するコピー・出力手段を内蔵し、前記コピーボード本体の下端部にペントレイ及び各種操作用の操作パネルを前記コピーボード本体と並列配置の突設状態で連結し、コピーボード本体の背面側に壁体取付具を配置した小児用コピーボード装置であって、前記コピーボード本体及び壁体取付具の両側部、並びに、前記ペントレイの端部に取り付けた緩衝クッション部材と、前記操作パネルの操作面以外の領域に取り付けた操作パネル緩衝クッション部材と、前記操作パネルの操作面を覆う着脱可能な操作パネルカバーと、前記コピー・出力手段から出力される筆記情報を印刷するためのプリンタ、筆記情報を描くためのマーカー、前記筆記シートに筆記された筆記情報を消去するイレーサを収納する前記コピーボード本体と別体の収納ボックスと、を備え、前記コピーボード本体及び壁体取付具の壁体への設置位置をオフィス向けコピーボード本体の壁体への設置位置よりも低位置とする仕様とした構成により実現した。
【実施例】
【００２４】
以下、本考案の実施例に係る小児用コピーボード装置について図面を参照して詳細に説明する。
【００２５】
（実施例１）
本考案の実施例１に係る小児用コピーボード装置１について図１〜図５を参照して説明する。
【００２６】
本実施例１に係る小児用コピーボード装置１は、図１〜図３に示すように、横長の四角形状のコピーボード本体２と、このコピーボード本体２の正面に表出させた文字、図形等の任意の筆記情報を描く筆記面を四角形状とした筆記シート３と、前記コピーボード本体２の下端部に沿って直列配置に添着したペントレイ４及び各種操作用の操作パネル５と、この操作パネル５の操作面を覆い又は露出させる着脱可能な操作パネルカバー６と、前記コピーボード本体２の背面側に密着配置され、コピーボード本体２を垂直の壁体８に図示しないがボルト止め等により取り付けるための例えば四角枠状の壁体取付具７と、を有している。
【００２７】
また、本実施例１に係る小児用コピーボード装置１は、公知のように、前記筆記シート３に筆記された筆記情報をコピーし出力するコピー・出力手段１１を内蔵している。
【００２８】
更に、本実施例１に係る小児用コピーボード装置１は、前記コピー・出力手段１１から出力される筆記情報を印刷するためのプリンタ１２、筆記シート３に筆記情報を描くためのマーカー１３、前記筆記シート３に筆記された筆記情報を消去するイレーサ１４を収納する前記コピーボード本体２と別体の収納ボックス１５を備えている。
【００２９】
更に、本実施例１に係る小児用コピーボード装置１は、前記コピーボード本体２及び壁体取付具７の両側部全体をほぼ覆うように取り付けた例えばソフトウレタン材、ゴム材等からなる緩衝クッション部材２１、２１と、前記ペントレイ４の端部を覆うように取り付けた例えばソフトウレタン材、ゴム材等からなる緩衝クッション部材２２と、前記操作パネル５の操作面以外の領域を覆うように取り付けた操作パネル緩衝クッション部材２３と、を有している。
【００３０】
なお、図１中の符号９は床１０上に敷設したカーペットである。
【００３１】
前記コピーボード本体２、筆記シート３の筆記面の寸法としては、コピーボード本体２の横幅Ｌ１＝１９００ｍｍ〜１９５０ｍｍ、筆記シート３の筆記面の横幅Ｌ２＝１７００ｍｍ〜１８００ｍｍ、筆記シート３の筆記面の縦寸法Ｌ３＝９００ｍｍ〜９５０ｍｍの例を挙げることができるが、これらの寸法に限定されないことはもちろんである。
【００３２】
また、前記床１０又はカーペット９の上面からコピーボード本体２及び壁体取付具７の上端までの高さＬ４は、例えば６歳の女の子の身長１１５ｃｍ程度、４歳の男の子の身長９５ｃｍ程度等を考慮し、Ｌ４＝１２００ｍｍ〜１３００ｍｍに設定して、図示しないが成人の男性又は女性が使用するオフィス向けコピーボード本体の壁体への設置位置（高さ）よりも低位置とする仕様としている。
【００３３】
次に、前記操作パネル５の具体的構成について図４、図５を参照して説明する。
前記操作パネル５の操作面には、図４に示すような各種操作キー、枚数表示部３９、電源スイッチ４０が設けられている。
【００３４】
すなわち、前記操作パネル５の操作面には、前記筆記シート３を左又は右に送る左送りキー３１、右送りキー３２、前記筆記シート３の筆記情報をＵＳＢ（Ｕｎｉｖｅｒｓａｌ  Ｓｅｒｉａｌ  Ｂｕｓ）メモリ５１に保存するためのメモリキー３３、前記筆記シート３の筆記情報を後述するＬＡＮ（Ｌｏｃａｌ  Ａｒｅａ  Ｎｅｔｗｏｋ）系統に送信するためのＬＡＮキー３４、前記筆記シート３の筆記情報をカラーコピー又はモノクロコピーするためのカラーキー３５、モノクロキー３６、前記筆記シート３の筆記情報を濃く（鮮明に）にコピーするための濃くキー３７、コピー枚数を設定する枚数設定キー３８、設定された枚数の数値を表示する枚数表示部３９、コピーボード本体２を動作させるための電源スイッチ４０が設けられている。
【００３５】
前記操作パネル５は、更に図５に示すように、ＵＳＢメモリ５１を装着するＵＳＢポート４１、ＬＡＮケーブル６１を装着するＬＡＮポート４２を具備している。
【００３６】
次に、前記コピー・出力手段１１は、前記筆記シート３に筆記された文字、図形等の筆記情報をコピーし出力するために、前記筆記シート３を右又は左に送る筆記シート駆動部、前記筆記シート３の筆記面を光学的に読み取る光学読取手段、光学読取手段にて読み取った筆記情報を処理して記憶し前記ＵＳＢポート４１、ＬＡＮポート４２に出力する筆記情報処理手段等を備えているが、これらは公知技術であるため、詳細説明は省略する。
【００３７】
前記ＵＳＢポート４１には、ＵＳＢメモリ５１が装着され、前記メモリキー３３の操作により筆記情報がＵＳＢメモリ５１に保存され、このＵＳＢメモリ５１を基に、図５に示すようにパーソナルコンピュータ５２、前記プリンタ１２を使用してＵＳＢメモリ５１に保存した筆記情報を用紙にプリントアウトすることができる。
【００３８】
また、前記ＬＡＮポート４２にＬＡＮケーブル６１を接続し、ＬＡＮ系統を構成するパーソナルコンピュータ６２、保存用コンピュータサーバ６３、プリンタ６４を使用して、前記筆記情報をＬＡＮポート４２、ＬＡＮケーブル６１を介してＬＡＮ系統に送信することで、前記筆記情報を複数人で共有することも可能である。
【００３９】
以上説明した本実施例１によれば、前記コピーボード本体２を壁体取付具７を介して垂直の壁体８に取り付ける壁直付け構成とし、また、前記床１０又はカーペット９の上面からコピーボード本体２及び壁体取付具７の上端までの高さＬ４を１２００ｍｍ〜１３００ｍｍと低い位置に設定した構成とし、前記筆記シート３の筆記面の位置を成人より身長の低い小児の手の届く範囲としているので、小児用として好適な小児用コピーボード装置１を実現し提供することができる。
【００４０】
そして、前記筆記シート３の筆記面の横幅Ｌ２＝１７００ｍｍ〜１８００ｍｍ、筆記面の縦寸法Ｌ３＝９００ｍｍ〜９５０ｍｍという広面積としているので、小児による任意の文字、図形等の筆記エリアとして十分な面積を確保できる。
【００４１】
更に、本実施例１に係る小児用コピーボード装置１によれば、前記コピーボード本体２及び壁体取付具７の両側部全体をほぼ覆う緩衝クッション部材２１、２１、前記ペントレイ４の端部を覆う緩衝クッション部材２２及び前記操作パネル５の操作面以外の領域を覆うように取り付けた操作パネル緩衝クッション部材２３を設けているので、前記コピーボード本体２の周辺で小児が走り回り前記コピーボード本体２の両側部、ペントレイ４の端部、操作パネル５の端部等に衝突した場合でも、衝突による小児への衝撃は緩衝されることになり、これにより、怪我の発生を無くすことができて安全性に優れた小児用コピーボード装置１を実現し提供することができる。
【００４２】
また、本実施例１に係る小児用コピーボード装置１によれば、プリンタ１２等を収納した収納ボックス１５を前記コピーボード本体２と別体としているので、コピーボード本体の脚部に印刷用プリンタが配置されコピーボード筆記面から前方に突出している従来例の構成に比べ、小児がプリンタ１２に衝突することが無くなり、この点からも怪我の発生を無くすことができて安全性に優れた小児用コピーボード装置１を実現し提供することができる。
【００４３】
更に、本実施例１に係る小児用コピーボード装置１によれば、操作パネル５の操作面を覆い又は露出させる着脱可能な操作パネルカバー６を備えているので、小児の使用時に操作パネルカバー６を操作面に被せておくことにより、すなわち、小児の使用時の操作パネル５の操作は管理責任者である大人が対応することにより、小児の誤操作によるコピーボード本体の動作によって小児が怪我をしてしまう等の不都合な事態を回避することができ、安全性を高めることができる。
【００４４】
（実施例２）
本考案の実施例２に係る小児用コピーボード装置１Ａについて図６〜図８を参照して説明する。
【００４５】
本実施例２に係る小児用コピーボード装置１Ａは、基本的構成は実施例１の小児用コピーボード装置１の場合と同様であるため、実施例１の場合と同一の要素には同一の符号を付し、その詳細説明は省略する。
【００４６】
本実施例２に係る小児用コピーボード装置１Ａは、実施例１の小児用コピーボード装置１の場合の壁直付け構成に替えて、図６〜図８に示すように、前記壁体取付具７及びコピーボード本体２を両側で垂直配置に支持し、自立走行移動を可能とする一対構成の支持スタンド７１を付加したことが特徴である。
【００４７】
前記一対の支持スタンド７１は、前記壁体取付具７の両側の側部に対してこの側部と同方向に一対の支柱７２、７２を連結し、一対の支柱７２、７２と各々一体でコピーボード本体２の表裏両側に突出する配置に各々２個ずつのコピーボード本体２を走行移動可能とするためのキャスタ７４を付けた一対の脚部７３、７３を床面上に設置し、前記壁体取付具７及びコピーボード本体２を両側で垂直配置に支持する構成としている。
【００４８】
そして、既述した場合と同様な緩衝クッション部材２１、２１により、前記コピーボード本体２、壁体取付具７及び一対の支柱７２、７２の両側部を各々覆う構成としている。更に、前記一対の脚部７３、７３の外周に前記緩衝クッション部材２１と同様な素材により形成した脚部緩衝クッション部材７５、７５を取り付け、一対の脚部７３、７３の外周を覆うようにしている。
【００４９】
また、コピーボード本体２及び壁体取付具７の床面から上端までの高さは、実施例１の場合と同様、１２００ｍｍ〜１３００ｍｍに設定している。
【００５０】
この他の構成は実施例１の場合と同様である。
【００５１】
本実施例２に係る小児用コピーボード装置１Ａは、支持スタンド７１、キャスタ７４を利用した自立走行移動型で設置箇所の自由度が高い構成の基に、実施例１の場合と同様、小児用として好適な小児用コピーボード装置１を実現し提供することができ、小児による任意の文字、図形等の筆記エリアとして十分な面積を確保することもできる。
【００５２】
また、前記コピーボード本体２の周辺で小児が走り回り前記コピーボード本体２の両側部、ペントレイ４の端部、操作パネル５の端部等に衝突した場合でも、衝突による小児への衝撃は緩衝されることになり、更に、小児がプリンタ１２に衝突することも無くなり、怪我の発生を無くすことができて安全性に優れた小児用コピーボード装置１を実現し提供することができる。
【００５３】
更に、前記一対の脚部７３、７３の外周を脚部緩衝クッション部材７５、７５で覆う構成としているので、小児が一対の脚部７３、７３に接触して躓き転倒した場合でも怪我の発生を無くすことができて安全性に優れた小児用コピーボード装置１Ａを実現し提供することができる。
【００５４】
更にまた、実施例１の場合と同様、操作パネルカバー６を備えているので小児の誤操作によるコピーボード本体２の動作によって小児が怪我をしてしまう等の不都合な事態を回避することができ、安全性を高めることができる。
【００５５】
（実施例３）
本考案の実施例３に係る小児用コピーボード装置１Ｂについて図９〜図１１を参照して説明する。
【００５６】
本実施例３に係る小児用コピーボード装置１Ｂは、基本的構成は実施例１の小児用コピーボード装置１の場合と同様であるため、実施例１の場合と同一の要素には同一の符号を付し、その詳細説明は省略する。
【００５７】
本実施例３に係る小児用コピーボード装置１Ｂは、実施例１の小児用コピーボード装置１の場合の壁直付け構成に替えて、図９〜図１１に示すように、前記壁体取付具７及びコピーボード本体２を両側で垂直配置に支持し、自立壁寄せ型の構成で部屋内に設置し易い構成を実現する一対構成の支持スタンド８１を付加したことが特徴である。
【００５８】
前記一対の支持スタンド８１は、前記壁体取付具７の両側の側部に対してこの側部と同方向に一対の支柱８２、８２を連結し、一対の支柱８２、８２と各々一体で、この支柱８２、８２よりコピーボード本体２の表側に突出する形状（すなわち、側面視Ｌ形又は逆Ｌ形の形状）脚部８３、８３を床面上に設置して前記壁体取付具７及びコピーボード本体２を両側で垂直配置に支持する構成としている。
【００５９】
そして、既述した場合と同様な緩衝クッション部材２１、２１により、前記コピーボード本体２、壁体取付具７及び一対の支柱８２、８２の両側部を各々覆う構成としている。また、前記一対の脚部８３、８３の外周を覆うように前記緩衝クッション部材２１と同様な素材により形成した平面視ほぼ正方形状の脚部緩衝クッション部材（安全マット）８４を配置し、一対の脚部８３、８３の外周が露出しないようにしている。
【００６０】
図１０においては、脚部緩衝クッション部材８４を、コピーボード本体２の下部から正面前方にわたって、一列６個で３列に、すなわち、全体として１８個配列した例を示している。
【００６１】
前記コピーボード本体２及び壁体取付具７の床面から上端までの高さは、実施例１の場合と同様、１２００ｍｍ〜１３００ｍｍに設定している。
【００６２】
この他の構成は実施例１又は実施例２の場合と同様である。
【００６３】
本実施例３に係る小児用コピーボード装置１Ｂは、前記支持スタンド８１を利用した自立壁寄せ型で壁体８に押し付けて設置できる構成の基に、実施例１、２の場合と同様、小児用として好適な小児用コピーボード装置１Ｂを実現し提供することができ、小児による任意の文字、図形等の筆記エリアとして十分な面積を確保することもできる。
【００６４】
また、前記コピーボード本体２の周辺で小児が走り回り前記コピーボード本体２の両側部、ペントレイ４の端部、操作パネル５の端部等に衝突した場合でも、衝突による小児への衝撃は緩衝されることになり、更に、小児がプリンタ１２に衝突することも無くなり、怪我の発生を無くすことができて安全性に優れた小児用コピーボード装置１を実現し提供することができる。
【００６５】
更に、前記一対の脚部８３、８３の外周を脚部緩衝クッション部材８４で覆う構成としているので、小児が一対の脚部８３、８３に接触して躓き転倒した場合でも怪我の発生を無くすことができて安全性に優れた小児用コピーボード装置１Ｂを実現し提供することができる。
【００６６】
更にまた、実施例１、２の場合と同様、操作パネルカバー６を備えているので小児の誤操作によるコピーボード本体２の動作によって小児が怪我をしてしまう等の不都合な事態を回避することができ、安全性を高めることができる。
【産業上の利用可能性】
【００６７】
本考案の小児用コピーボード装置は、４歳、６歳等の小児用として、更には小学生、中学生用として好適に利用でき、また、設置個所も家庭、保育園、幼稚園、小学校、中学校、一般家庭用等として広範に適用可能である。
【符号の説明】
【００６８】
１    小児用コピーボード装置
１Ａ  小児用コピーボード装置
１Ｂ  小児用コピーボード装置
２    コピーボード本体
３    筆記シート
４    ペントレイ
５    操作パネル
６    操作パネルカバー
７    壁体取付具
８    壁体
９    カーペット
１０    床
１１    コピー・出力手段
１２    プリンタ
１３    マーカー
１４    イレーサ
１５    収納ボックス
２１    緩衝クッション部材
２２    緩衝クッション部材
２３    操作パネル緩衝クッション部材
３３    メモリキー
３４    ＬＡＮキー
３５    カラーキー
３６    モノクロキー
３７    濃くキー
３８    枚数設定キー
３９    枚数表示部
４０    電源スイッチ
４１    ＵＳＢポート
４２    ＬＡＮポート
５１    ＵＳＢメモリ
５２    パーソナルコンピュータ
６１    ＬＡＮケーブル
６２    パーソナルコンピュータ
６３    保存用コンピュータサーバ
６４    プリンタ
７１    支持スタンド
７２    支柱
７３    脚部
７４    キャスタ
７５    脚部緩衝クッション部材
８１    支持スタンド
８２    支柱
８３    脚部
８４    脚部緩衝クッション部材
Ｌ１    コピーボード本体の横幅
Ｌ２    筆記面の横幅
Ｌ３    縦寸法
Ｌ４    高さ
【図１】
0003182203.tif 000003
【図２】
0003182203.tif 000004
【図３】
0003182203.tif 000005
【図４】
0003182203.tif 000006
【図５】
0003182203.tif 000007
【図６】
0003182203.tif 000008
【図７】
0003182203.tif 000009
【図８】
0003182203.tif 000010
【図９】
0003182203.tif 000011
【図１０】
0003182203.tif 000012
【図１１】
0003182203.tif 000013